(57)【要約】【課題】本発明はデータ伝送方法、データ伝送装置及びシステムを提供し、通信分野に関する。【解決手段】該方法は、端末により、アクセスネットワーク装置が送信した、ＱＣＩとＡＣの間の対応関係を含むＱＯＳクラスマッピングテーブルを受信することと、端末により、アクセスネットワーク装置が第１のアップリンクデータを伝送するのに用いられる無線ベアラのために配置したＱＣＩを受信することと、端末により、ＱＯＳクラスマッピングテーブルに基づいて、該ＱＣＩに対応するＡＣを照会することと、端末が該ＡＣを使用して、ＷＬＡＮリンクを介して、アクセスネットワーク装置に第２のアップリンクデータを送信することと、を含み、前記第１のアップリンクデータと前記第２のアップリンクデータは集約伝送を採用したデータである。本発明は、端末が移動通信リンクとＷＬＡＮリンクにおいて、同じ又は類似するＱＯＳクラスを使用してアップリンクデータ伝送を行うことにより、複流においてもサービス品質を保証することができる効果を達成している。【選択図】図２
2018521518.tif 000002
【特許請求の範囲】
【請求項１】
端末により、アクセスネットワーク装置が送信した、サービス品質クラス識別子ＱＣＩとアクセスクラスＡＣとの対応関係を含むサービス品質ＱＯＳクラスマッピングテーブルを受信することと、
前記端末により、前記アクセスネットワーク装置が前記端末と前記アクセスネットワーク装置との間に構築され且つ第１のアップリンクデータを伝送するのに用いられる無線ベアラのために配置した前記ＱＣＩを受信することと、
前記端末により、前記ＱＯＳクラスマッピングテーブルに基づいて、前記ＱＣＩに対応する前記ＡＣを照会することと、
前記端末が前記ＡＣを使用して、無線ローカルエリアネットワークＷＬＡＮリンクを介して、前記アクセスネットワーク装置に第２のアップリンクデータを送信することと、
を含み、
前記第１のアップリンクデータと前記第２のアップリンクデータは、集約伝送を採用したデータである、
ことを特徴とする、データ伝送方法。
【請求項２】
前記端末により、アクセスネットワーク装置が送信したサービス品質ＱＯＳクラスマッピングテーブルを受信することは、
前記端末により、前記アクセスネットワーク装置がブロードキャストしたシステム情報を受信することを含み、
前記システム情報において、前記システム情報における元のＳＩＢ又は新しく追加されるＳＩＢである指定システム情報ブロックＳＩＢには、前記ＱｏＳクラスマッピングテーブルが含まれている、
ことを特徴とする、請求項１に記載の方法。
【請求項３】
前記端末が前記ＡＣを使用して、無線ローカルエリアネットワークＷＬＡＮリンクを介して、前記アクセスネットワーク装置に第２のアップリンクデータを送信することは、
前記端末が前記ＷＬＡＮリンクを介して前記アクセスネットワーク装置に前記第２のアップリンクデータを送信することを含み、
前記第２のアップリンクデータにおいて、媒体アクセス制御ＭＡＣフレームヘッダにおけるＱＯＳ制御領域には前記ＡＣが含まれている、
ことを特徴とする、請求項１に記載の方法。
【請求項４】
前記端末により、前記アクセスネットワーク装置が前記ネットワークパラメータに基づいて更新した前記ＱＯＳクラスマッピングテーブルを受信すること、
をさらに含み、
前記ネットワークパラメータは、ネットワーク輻輳パラメータ、データパケット伝送速度、データパケット遅延パラメータ、データパケットロスパラメータのうちの少なくとも１つを含む、
ことを特徴とする、請求項１又は２に記載の方法。
【請求項５】
アクセスネットワーク装置により、端末にサービス品質クラス識別子ＱＣＩとアクセスクラスＡＣとの対応関係を含むサービス品質ＱＯＳクラスマッピングテーブルを送信することと、
前記アクセスネットワーク装置により、前記端末に対応する、前記端末と前記アクセスネットワーク装置との間に構築され且つ第１のアップリンクデータを伝送するのに用いられる無線ベアラに、前記ＱＣＩを配置することと、
前記アクセスネットワーク装置により、前記端末が無線ローカルエリアネットワークＷＬＡＮリンクを介して送信した、対応する前記ＡＣが前記ＱＯＳクラスマッピングテーブルにおけるＱＣＩに対応するＡＣである第２のアップリンクデータを受信することと、
を含み、
前記第１のアップリンクデータと前記第２のアップリンクデータは、集約伝送を採用したデータである、
ことを特徴とする、データ伝送方法。
【請求項６】
前記アクセスネットワーク装置により、端末にサービス品質ＱＯＳクラスマッピングテーブルを送信することは、
前記アクセスネットワーク装置により、システム情報において、前記システム情報における元のＳＩＢ又は新しく追加されるＳＩＢである指定システム情報ブロックＳＩＢで、前記ＱＯＳクラスマッピングテーブルをブロードキャストすること、
を含むことを特徴とする、請求項５に記載の方法。
【請求項７】
前記アクセスネットワーク装置により、ネットワーク輻輳パラメータ、データパケット伝送速度、データパケット遅延パラメータ、データパケットロスパラメータのうちの少なくとも１つを含むネットワークパラメータを取得することと、
前記アクセスネットワーク装置により、前記ネットワークパラメータに基づいて前記ＱＯＳクラスマッピングテーブルを更新することと、
前記アクセスネットワーク装置により、前記端末に更新後の前記ＱＯＳクラスマッピングテーブルを送信することと、
をさらに含むことを特徴とする、請求項５又は６に記載の方法。
【請求項８】
アクセスネットワーク装置が送信した、サービス品質クラス識別子ＱＣＩとアクセスクラスＡＣとの対応関係を含むサービス品質ＱＯＳクラスマッピングテーブルを受信するように構成される受信モジュールと、
前記アクセスネットワーク装置が前記端末と前記アクセスネットワーク装置との間に構築され且つ第１のアップリンクデータを伝送するのに用いられる無線ベアラのために配置した前記ＱＣＩを受信するように構成される前記受信モジュールと、
前記ＱＯＳクラスマッピングテーブルに基づいて前記ＱＣＩに対応する前記ＡＣを照会するように構成される処理モジュールと、
前記ＡＣを使用して、無線ローカルエリアネットワークＷＬＡＮリンクを介して、前記アクセスネットワーク装置に第２のアップリンクデータを送信するように構成される送信モジュールと、
を含み、
前記第１のアップリンクデータと前記第２のアップリンクデータは、集約伝送を採用したデータである、
ことを特徴とする、データ伝送装置。
【請求項９】
前記受信モジュールは、前記アクセスネットワーク装置がブロードキャストしたシステム情報を受信するように構成され、
前記システム情報において、前記システム情報における元のＳＩＢ又は新しく追加されるＳＩＢである指定システム情報ブロックＳＩＢには、前記ＱｏＳクラスマッピングテーブルが含まれている、
ことを特徴とする、請求項８に記載の装置。
【請求項１０】
前記送信モジュールは、前記ＷＬＡＮリンクを介して前記アクセスネットワーク装置に前記第２のアップリンクデータを送信するように構成され、
前記第２のアップリンクデータにおいて、媒体アクセス制御ＭＡＣフレームヘッダにおけるＱＯＳ制御領域にはＡＣが含まれている、
ことを特徴とする、請求項８に記載の装置。
【請求項１１】
前記アクセスネットワーク装置が前記ネットワークパラメータに基づいて更新した前記ＱＯＳクラスマッピングテーブルを受信するように構成される前記受信モジュールをさらに含み、
前記ネットワークパラメータは、ネットワーク輻輳パラメータ、データパケット伝送速度、データパケット遅延パラメータ、データパケットロスパラメータのうちの少なくとも１つを含む、
ことを特徴とする、請求項８又は９に記載の装置。
【請求項１２】
端末にサービス品質クラス識別子ＱＣＩとアクセスクラスＡＣとの対応関係を含むサービス品質ＱＯＳクラスマッピングテーブルを送信するように構成される送信モジュールと、
前記端末に対応する、前記端末と前記アクセスネットワーク装置との間に構築され且つ第１のアップリンクデータを伝送するのに用いられる無線ベアラに、前記ＱＣＩを配置するように構成される前記送信モジュールと、
前記端末が無線ローカルエリアネットワークＷＬＡＮリンクを介して送信した、対応する前記ＡＣが前記ＱＯＳクラスマッピングテーブルにおける前記ＱＣＩに対応するＡＣである第２のアップリンクデータを受信するように構成される受信モジュールと、
を含み、
前記第１のアップリンクデータと前記第２のアップリンクデータは、集約伝送を採用したデータである、
ことを特徴とする、データ伝送装置。
【請求項１３】
前記送信モジュールは、システム情報において、前記システム情報における元のＳＩＢ又は新しく追加されるＳＩＢである指定システム情報ブロックＳＩＢで、前記ＱＯＳクラスマッピングテーブルをブロードキャストするように構成される、
ことを特徴とする、請求項１２に記載の装置。
【請求項１４】
ネットワーク輻輳パラメータ、データパケット転送速度、データパケット遅延パラメータ、データパケットロスパラメータのうちの少なくとも１つを含むネットワークパラメータを取得するように構成される前記処理モジュールと、
前記ネットワークパラメータに基づいて前記ＱＯＳクラスマッピングテーブルを更新するように構成される前記処理モジュールと、
前記端末に更新後の前記ＱＯＳクラスマッピングテーブルを送信するように構成される前記送信モジュールと、
をさらに含むことを特徴とする、請求項１２又は１３に記載の装置。
【請求項１５】
プロセッサと、
プロセッサにより実行可能なコマンドを記憶するメモリと、
を含み、
前記プロセッサは、
アクセスネットワーク装置が送信したサービス品質クラス識別子ＱＣＩとアクセスクラスＡＣとの対応関係を含むサービス品質ＱＯＳクラスマッピングテーブルを受信し、
前記アクセスネットワーク装置が前記端末と前記アクセスネットワーク装置との間に構築され且つ第１のアップリンクデータを伝送するのに用いられる前記無線ベアラのために配置した前記ＱＣＩを受信し、
前記ＱＯＳクラスマッピングテーブルに基づいて前記ＱＣＩに対応する前記ＡＣを照会し、
前記ＡＣを使用して、無線ローカルエリアネットワークＷＬＡＮリンクを介して、前記アクセスネットワーク装置に第２のアップリンクデータを送信するように構成され、
前記第１のアップリンクデータと前記第２のアップリンクデータは、集約伝送を採用したデータである、
ことを特徴とする、端末。
【請求項１６】
プロセッサと、
プロセッサにより実行可能なコマンドを記憶するメモリと、
を含み、
前記プロセッサは、
端末に、サービス品質クラス識別子ＱＣＩとアクセスクラスＡＣとの対応関係を含むサービス品質ＱＯＳクラスマッピングテーブルを送信し、
前記端末に対応する、前記端末と前記アクセスネットワーク装置との間に構築され且つ第１のアップリンクデータを伝送するのに用いられる前記無線ベアラに、前記ＱＣＩを配置し、
前記端末が無線ローカルエリアネットワークＷＬＡＮリンクを介して送信した、対応する前記ＡＣが前記ＱＯＳクラスマッピングテーブルにおけるＱＣＩに対応するＡＣである前記第２のアップリンクデータを受信するように構成され、
前記第１のアップリンクデータと前記第２のアップリンクデータは、集約伝送を採用したデータである、
ことを特徴とする、アクセスネットワーク装置。
【請求項１７】
請求項１２〜１４のいずれか一項に記載の前記データ伝送装置を含む前記アクセスネットワーク装置と、
請求項８〜１１のいずれか一項に記載の前記データ伝送装置を含む前記端末と、
を備えるか、
又は、
請求項１６に記載のアクセスネットワーク装置である前記アクセスネットワーク装置と、
請求項１５に記載の端末である前記端末と、
を備えることを特徴とする、データ伝送システム。
【発明の詳細な説明】
【技術分野】
【０００１】
本発明は、通信分野に関し、特に、データ伝送方法、データ伝送装置及びシステムに関する。
【背景技術】
【０００２】
ロングタームエボリューション−無線ローカルエリアネットワーク集約（ＬＴＥ−ＷＬＡＮ  Ａｇｇｒｅｇａｔｉｏｎｓ、ＬＷＡ）は、ロングタームエボリューション（Ｌｏｎｇ  Ｔｅｒｍ  Ｅｖｏｌｕｔｉｏｎ、ＬＴＥ）のネットワークと無線ローカルエリアネットワーク（Ｗｉｒｅｌｅｓｓ  Ｌｏｃａｌ  Ａｒｅａ  Ｎｅｔｗｏｒｋｓ、ＷＬＡＮ）のネットワークを同時に利用してデータ伝送を行う技術である。
【０００３】
時間的要因に制限され、第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、現在ＬＷＡのダウンリンクデータ伝送のみに対して検討しており、該ダウンリンクデータ伝送の過程は、ＬＴＥ方式の無線基地局（ｅｖｏｌｕｔｉｏｎａｌ  Ｎｏｄｅ  Ｂ、ｅＮＢ）がＬＷＡを利用してダウンリンクデータ伝送を行うときに、ｅＮＢがＬＴＥリンクを介して一部のダウンリンクデータをユーザ機器（Ｕｓｅｒ  Ｅｑｕｉｐｍｅｎｔ、ＵＥ）に伝送すると同時に、ＵＥの媒体アクセス制御（Ｍｅｄｉｕｍ  Ａｃｃｅｓｓ  Ｃｏｎｔｒｏｌ、ＭＡＣ）アドレスに基づき、ＷＬＡＮリンクを介して残りのダウンリンクデータをＵＥに伝送することと、ＵＥが受信した２つの部分のデータを集約することによって、データのダウンリンク伝送を実現することと、を含む。
【０００４】
しかしながら、現在、ＬＷＡシーンにおけるアップリンクデータ伝送に対して、完璧な解決策がない。ＬＷＡシーンにおけるアップリンクデータ伝送の過程において、サービス品質（Ｑｕａｌｉｔｙ  ｏｆ  Ｓｅｒｖｉｃｅ、ＱＯＳ）を如何に保証するかも大きな難問である。
【発明の概要】
【０００５】
本発明はデータ伝送方法、データ伝送装置及びシステムを提供する。上記技術的解決手段は以下の通りである。
【０００６】
第１の態様において、データ伝送方法を提供し、当該データ伝送方法は、
端末により、アクセスネットワーク装置が送信した、サービス品質クラス識別子ＱＣＩ（ＱｏＳ  Ｃｌａｓｓ  Ｉｄｅｎｔｉｆｉｅｒ）とアクセスクラスＡＣ（Ａｃｃｅｓｓ  Ｃｌａｓｓ）との対応関係を含むサービス品質ＱＯＳクラスマッピングテーブルを受信することと、
端末により、アクセスネットワーク装置が端末とアクセスネットワーク装置との間に構築され且つ第１のアップリンクデータを伝送するのに用いられる無線ベアラのために配置したＱＣＩを受信することと、
端末により、ＱＯＳクラスマッピングテーブルに基づいて、ＱＣＩに対応するＡＣを照会することと、
端末がＡＣを使用して、無線ローカルエリアネットワークＷＬＡＮリンクを介して、アクセスネットワーク装置に第２のアップリンクデータを送信することと、
を含み、
第１のアップリンクデータと第２のアップリンクデータは、集約伝送を採用したデータである。
【０００７】
好ましい実施例において、端末により、アクセスネットワーク装置が送信したサービス品質ＱＯＳクラスマッピングテーブルを受信することは、
端末により、アクセスネットワーク装置がブロードキャストしたシステム情報を受信することを含み、
システム情報において、システム情報における元のＳＩＢ又は新しく追加されるＳＩＢである指定システム情報ブロックＳＩＢ（Ｓｙｓｔｅｍ  Ｉｎｆｏｒｍａｔｉｏｎ  Ｂｌｏｃｋ）には、ＱＯＳクラスマッピングテーブルが含まれている。
【０００８】
好ましい実施例において、端末がＡＣを使用して、無線ローカルエリアネットワークＷＬＡＮリンクを介して、アクセスネットワーク装置に第２のアップリンクデータを送信することは、
端末がＷＬＡＮリンクを介してアクセスネットワーク装置に第２のアップリンクデータを送信することを含み、
第２のアップリンクデータにおいて、ＭＡＣフレームヘッダのＱＯＳ制御領域にはＡＣが含まれている。
【０００９】
好ましい実施例において、該方法は、
端末により、アクセスネットワーク装置がネットワークパラメータに基づいて更新したＱＯＳクラスマッピングテーブルを受信すること、
をさらに含み、
ネットワークパラメータは、ネットワーク輻輳パラメータ、データパケット伝送速度、データパケット遅延パラメータ、データパケットロスパラメータのうちの少なくとも１つを含む。
【００１０】
本発明の第２の態様によれば、データ伝送方法を提供し、当該データ伝送方法は、
アクセスネットワーク装置により、端末にサービス品質クラス識別子ＱＣＩとアクセスクラスＡＣとの対応関係を含むサービス品質ＱＯＳクラスマッピングテーブルを送信することと、
アクセスネットワーク装置により、端末に対応する、端末とアクセスネットワーク装置との間に構築され且つ第１のアップリンクデータを伝送するのに用いられる無線ベアラに、ＱＣＩを配置することと、
アクセスネットワーク装置により、端末が無線ローカルエリアネットワークＷＬＡＮリンクを介して送信した、対応するＡＣがＱＯＳクラスマッピングテーブルにおけるＱＣＩに対応するＡＣである第２のアップリンクデータを受信することと、
を含み、
第１のアップリンクデータと第２のアップリンクデータは、集約伝送を採用したデータである。
【００１１】
好ましい実施例において、アクセスネットワーク装置により、端末にサービス品質ＱＯＳクラスマッピングテーブルを送信することは、
アクセスネットワーク装置により、システム情報において、システム情報における元のＳＩＢ又は新しく追加されるＳＩＢである指定システム情報ブロックＳＩＢで、ＱＯＳクラスマッピングテーブルをブロードキャストすること、を含む。
【００１２】
好ましい実施例において、該データ伝送方法は、
アクセスネットワーク装置により、ネットワーク輻輳パラメータ、データパケット伝送速度、データパケット遅延パラメータ、データパケットロスパラメータのうちの少なくとも１つを含むネットワークパラメータを取得することと、
アクセスネットワーク装置により、ネットワークパラメータに基づいてＱＯＳクラスマッピングテーブルを更新することと、
アクセスネットワーク装置により、端末に更新後のＱＯＳクラスマッピングテーブルを送信することと、
をさらに含む。
【００１３】
本発明の第３の態様によれば、データ伝送装置を提供し、当該データ伝送装置は、
アクセスネットワーク装置が送信した、サービス品質クラス識別子ＱＣＩとアクセスクラスＡＣとの対応関係を含むサービス品質ＱＯＳクラスマッピングテーブルを受信するように構成される受信モジュールと、
アクセスネットワーク装置が端末とアクセスネットワーク装置との間に構築され且つ第１のアップリンクデータを伝送するのに用いられる無線ベアラのために配置したＱＣＩを受信するように構成される受信モジュールと、
ＱＯＳクラスマッピングテーブルに基づいて、ＱＣＩに対応するＡＣを照会するように構成される処理モジュールと、
ＡＣを使用して、無線ローカルエリアネットワークＷＬＡＮリンクを介して、アクセスネットワーク装置に第２のアップリンクデータを送信するように構成される送信モジュールと、
を含み、
第１のアップリンクデータと第２のアップリンクデータは、集約伝送を採用したデータである。
【００１４】
好ましい実施例において、受信モジュールは、アクセスネットワーク装置によりブロードキャストされるシステム情報を受信するように構成され、
システム情報において、システム情報における元のＳＩＢ又は新しく追加されるＳＩＢである指定システム情報ブロックＳＩＢには、ＱＯＳクラスマッピングテーブルが含まれている。
【００１５】
好ましい実施例において、送信モジュールは、ＷＬＡＮリンクを介してアクセスネットワーク装置に第２のアップリンクデータを送信するように構成され、
第２のアップリンクデータにおいて、ＭＡＣフレームヘッダのＱＯＳ制御領域にはＡＣが含まれている。
【００１６】
好ましい実施例において、該装置は、
アクセスネットワーク装置がネットワークパラメータに基づいて更新したＱＯＳクラスマッピングテーブルを受信するように構成される受信モジュールをさらに含み、
ネットワークパラメータは、ネットワーク輻輳パラメータ、データパケット伝送速度、データパケット遅延パラメータ、データパケットロスパラメータのうちの少なくとも１つを含む。
【００１７】
本発明の第４の態様によれば、データ伝送装置を提供し、当該データ伝送装置は、
端末に、サービス品質クラス識別子ＱＣＩとアクセスクラスＡＣとの対応関係を含むサービス品質ＱＯＳクラスマッピングテーブルを送信するように構成される送信モジュールと、
端末に対応する、端末とアクセスネットワーク装置との間に構築され且つ第１のアップリンクデータを伝送するのに用いられる無線ベアラに、ＱＣＩを配置するように構成される送信モジュールと、
端末が無線ローカルエリアネットワークＷＬＡＮリンクを介して送信した、対応するＡＣがＱＯＳクラスマッピングテーブルにおけるＱＣＩに対応するＡＣである第２のアップリンクデータを受信するように構成される受信モジュールと、
を含み、
第１のアップリンクデータと第２のアップリンクデータは、集約伝送を採用したデータである。
【００１８】
好ましい実施例において、送信モジュールは、システム情報において、システム情報における元のＳＩＢ又は新しく追加されるＳＩＢである指定システム情報ブロックＳＩＢで、ＱＯＳレベルマッピングテーブルをブロードキャストするように構成される。
【００１９】
好ましい実施例において、該装置は、
ネットワーク輻輳パラメータ、データパケット伝送速度、データパケット遅延パラメータ、データパケットロスパラメータのうちの少なくとも１つを含むネットワークパラメータを取得するように構成される処理モジュールと、
ネットワークパラメータに基づいてＱＯＳクラスマッピングテーブルを更新するように構成される処理モジュールと、
端末に更新後のＱＯＳクラスマッピングテーブルを送信するように構成される送信モジュールと、
をさらに含む。
【００２０】
本発明の第５の様態によれば、端末を提供し、当該端末は、
プロセッサと、
プロセッサにより実行可能なコマンドを記憶するメモリと、
を含み、
プロセッサは、
アクセスネットワーク装置が送信した、サービス品質クラス識別子ＱＣＩとアクセスクラスＡＣとの対応関係を含むサービス品質ＱＯＳクラスマッピングテーブルを受信し、
アクセスネットワーク装置が端末とアクセスネットワーク装置との間に構築され且つ第１のアップリンクデータを伝送するのに用いられる無線ベアラのために配置したＱＣＩを受信し、
ＱＯＳクラスマッピングテーブルに基づいて、ＱＣＩに対応するＡＣを照会し、
ＡＣを使用して、無線ローカルエリアネットワークＷＬＡＮリンクを介して、アクセスネットワーク装置に第２のアップリンクデータを送信するように構成され、
第１のアップリンクデータと第２のアップリンクデータは、集約伝送を採用したデータである。
【００２１】
本発明の第６の様態によれば、アクセスネットワーク装置を提供し、当該アクセスネットワーク装置は、
プロセッサと、
プロセッサにより実行可能なコマンドを記憶するメモリと、
を含み、
プロセッサは、
端末に、サービス品質クラス識別子ＱＣＩとアクセスクラスＡＣとの対応関係を含むサービス品質ＱＯＳクラスマッピングテーブルを送信し、
端末に対応する、端末とアクセスネットワーク装置との間に構築され且つ第１のアップリンクデータを伝送するのに用いられる無線ベアラに、ＱＣＩを配置し、
端末が無線ローカルエリアネットワークＷＬＡＮリンクを介して送信した、対応するＡＣがＱＯＳクラスマッピングテーブルにおけるＱＣＩに対応するＡＣである第２のアップリンクデータを受信するように構成され、
第１のアップリンクデータと第２のアップリンクデータは、集約伝送を採用したデータである。
【００２２】
本発明の第７の態様によれば、データ伝送システムを提供し、当該データ伝送システムは、
第４の態様のようなデータ伝送装置を含むアクセスネットワーク装置と、
第３の態様のようなデータ伝送装置を含む端末と、
を備えるか、又は、
第６の態様のようなアクセスネットワーク装置であるアクセスネットワーク装置と、
第５の態様のような端末である端末と、
を備える。
【発明の効果】
【００２３】
本発明の実施例により提供される技術的解決手段は、以下のような好適な効果を有する。
【００２４】
アクセスネットワーク装置により端末にＱＯＳクラスマッピングテーブルとＱＣＩとを配置し、端末がＱＯＳクラスマッピングテーブルにおいてＱＣＩに対応するＡＣを照会し、端末がＱＣＩに基づき移動通信リンク（例えば、ＬＴＥリンク）においてアクセスネットワーク装置に第１のアップリンクデータを送信し、ＡＣに基づきＷＬＡＮリンクにおいてアクセスネットワーク装置に第２のアップリンクデータを送信することによって、ＬＷＡシーンにおけるアップリンクデータ伝送において、ＱＯＳ要求を如何に保証するかという問題を解決し、端末が移動通信リンクとＷＬＡＮリンクにおいて、同じ又は類似するＱＯＳクラスを使用してアップリンクデータ伝送を行うことができるため、複流においてもサービス品質を保証することができる効果を達成する。
【００２５】
以上の一般的な説明と後述の詳細な説明は、例示的なものに過ぎず、本発明を限定するものではないことを理解すべきである。
【図面の簡単な説明】
【００２６】
ここの図面は、明細書に組み入れられて、本明細書の一部を構成し、本発明に適合する実施例を示し、明細書と共に本発明の原理を解釈するのに用いられる。
【００２７】
【図１】本発明の一つの例示的な実施例により提供されるデータ伝送システムの構成を示す模式図である。
【図２】一つの例示的な実施例により提供されるデータ伝送方法のフローチャートである。
【図３】他の一つの例示的な実施例により提供されるデータ伝送方法のフローチャートである。
【図４】一つの例示的な実施例により提供されるデータ伝送装置の構成を示す模式図である。
【図５】他の一つの例示的な実施例により提供されるデータ伝送装置の構成を示す模式図である。
【図６】一つの例示的な実施例により提供される端末の構成を示す模式図である。
【図７】一つの例示的な実施例により提供されるアクセスネットワーク装置の構成を示す模式図である。
【図８】一つの例示的な実施例により提供されるデータ伝送システムのブロック図である。
【発明を実施するための形態】
【００２８】
ここでは、例示的な実施例について詳しく説明する。例示的な実施例は、図面に示されている。以下、図面に関わる説明において、特別な説明がない限り、異なる図面における同じ符号は、同一又は類似の要素を示している。以下の例示的な実施例に記載された実施形態は、本発明と一致する全ての実施形態を代表するものではない。逆に、それらは特許請求の範囲に記載された本発明の一部の態様と一致する装置と方法の例に過ぎない。
【００２９】
本明細書において、該「モジュール」は、メモリに記憶され且つある機能を実現できるプログラム又はコマンドであると見なされるか、又は、該「モジュール」は論理的に区分される機能性構造であって、ハードウェアのみによって実現されるか、又は、ソフトウェアとハードウェアの組合せによって実現されるものであると見なされる。
【００３０】
本明細書において、「複数」とは２つ以上を指す。「及び／又は」は、関連対象の関連関係を説明し、３つの関係が存在可能であることを示し、例えば、Ａ及び／又はＢは、Ａのみ存在、ＡとＢとが同時に存在、Ｂのみ存在する３つの場合を示すことができる。符号「／」は、一般的に、前後関連対象が「又は」という関係であることを示す。
【００３１】
理解しやすくするために、以下に本発明の実施例に関する用語に対して説明する。
【００３２】
アクセスネットワーク装置とは、移動通信システムにおいて、移動通信ネットワークにアクセス機能を提供するためのネットワーク構成要素である。
【００３３】
異なる移動通信システムにおいて、アクセスネットワーク装置は同じ又は類似する機能を有するが、異なる名称又は具体的な実現形態を有してもよい。好ましくは、アクセスネットワーク装置は汎欧州デジタル移動電話方式（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（ＢＴＳ、Ｂａｓｅ  Ｔｒａｎｓｃｅｉｖｅｒ  Ｓｔａｔｉｏｎ）である。好ましくは、アクセスネットワーク装置は、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）における基地局（ＮｏｄｅＢ）である。好ましくは、アクセスネットワーク装置は、ロングタームエボリューション（Ｌｏｎｇ  Ｔｅｒｍ  Ｅｖｏｌｕｔｉｏｎ、ＬＴＥ）におけるＬＴＥ無線基地局（ｅｖｏｌｕｔｉｏｎａｌ  Ｎｏｄｅ  Ｂ、ｅＮＢ又はｅ−ＮｏｄｅＢ）である。実際のネットワークにおいて、アクセスネットワーク装置の具体的な実現形態はマクロ基地局、マイクロ基地局、ピコ基地局、リピーターなどであってもよい。
【００３４】
端末とは、移動通信システムにおいてユーザが使用する電子機器である。
【００３５】
異なる移動通信システムにおいて、端末は同じ又は類似する機能を有するが、異なる名称又は具体的な実現形態を有してもよい。好ましくは、端末は加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、モバイルステーション（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ、ＵＥ）であってもよい。実際のネットワークにおいて、端末の具体的な実現形態は携帯電話、タブレットパソコン、スマート家電、インテリジェント機器、モノのインターネット装置、車のインターネット装置などであってもよい。本発明の実施例は、端末の具体的な数と具体的な取付位置に限定されるものではない。
【００３６】
無線ローカルエリアネットワークターミネーション（ＷＬＡＮ  Ｔｅｒｍｉｎａｔｉｏｎ、ＷＴ）とは、ＬＷＡシステムにおいて定義される論理ネットワーク構成要素であって、ＷＬＡＮ無線アクセスポイント（Ａｃｃｅｓｓ  Ｐｏｉｎｔ、ＡＰ）に対する管理機能を有する。
【００３７】
ＬＷＡシステムにおいて、ＷＴはｅＮＢと一々に対応して接続され、通常は一体的に固設されている。１つのＷＴは同時に複数のＷＬＡＮ  ＡＰに接続され、それに接続される各ＷＬＡＮ  ＡＰを監視し、管理することができる。ＬＷＡシステムにおいて、アクセスネットワーク装置は、ＷＬＡＮリンクを介して端末にダウンリンクデータパケットを伝送するか、又は、ＷＬＡＮリンクを介して端末から伝送されるアップリンクデータパケットを受信するときに、該ダウンリンクデータパケットとアップリンクデータパケットはいずれも、アクセスネットワーク装置に接続されるＷＴを通過する。
【００３８】
ＡＰとは、ＷＬＡＮにおいて、端末に無線ローカルエリアネットワークアクセス能力を提供するためのノードである。
【００３９】
図１は、本発明の一つの例示的な実施例により提供されるデータ伝送システムの構成を示す模式図であり、該データ伝送システムは、アクセスネットワーク装置１１０、ＷＴ１２０、ＷＬＡＮ  ＡＰ１３０及び端末１４０を含む。
【００４０】
好ましくは、アクセスネットワーク装置１１０は、ＬＴＥにおけるｅＮＢである。該アクセスネットワーク装置１１０は、ＬＴＥリンクとＷＬＡＮリンクを介してダウンリンクデータを送信する機能を有し、該アクセスネットワーク装置１１０はさらに、ＬＴＥリンクとＷＬＡＮリンクを介してアップリンクデータを受信する機能を有する。ＬＴＥリンクを介して伝送されるのが第１のダウンリンクデータと第１のアップリンクデータであり、ＷＬＡＮリンクを介して伝送されるのが第２のダウンリンクデータと第２のアップリンクデータであると仮定する場合、アクセスネットワーク装置１１０は、コアネットワークからのデータを、第１のダウンリンクデータと第２のダウンリンクデータにカプセル化し、ＬＴＥリンクを介して第１のダウンリンクデータを端末に送信し、ＷＬＡＮリンクを介して第２のダウンリンクデータを端末に送信することができる。アクセスネットワーク装置１１０はさらに、ＬＴＥリンクを介して第１のアップンリンクデータを受信し、ＷＬＡＮリンクを介して第２のアップリンクデータを受信し、受信した第１のアップンリンクデータと第２のアップリンクデータを集約し、集約した後のアップリンクデータをコアネットワークに送信することができる。
【００４１】
アクセスネットワーク装置１１０はＷＴ１２０と一々に対応して接続され、通常の場合、アクセスネットワーク装置１１０はＷＴ１２０と一体的に固設でき、例えば、同じマザーボードに形成されるか、又は、アクセスネットワーク装置１１０はＷＴ１２０と光ファイバーを介して接続される。図１に示すように、アクセスネットワーク装置１１０は、ＷＴ１２０と対応して接続される。
【００４２】
ＷＴ１２０は、第２のダウンリンクデータを送信する機能と、第２のアップリンクデータを受信する機能と、を有する。ＷＴ１２０は、同時に複数のＷＬＡＮ  ＡＰ１３０に接続され、各ＷＬＡＮ  ＡＰ１３０が送信する第２のアップリンクデータを受信するか又は接続されたＷＬＡＮ  ＡＰ１３０に第２のダウンリンクデータを伝送することができる。本発明の実施例は、ＷＴ１２０に接続されるＷＬＡＮ  ＡＰ１３０の数に限定されるものではない。
【００４３】
ＷＬＡＮ  ＡＰ１３０は、第２のダウンリンクデータを送信する機能と、第２のアップリンクデータを受信する機能と、を有する。実際のネットワークにおいて、ＷＬＡＮ  ＡＰ１３０は無線ルータ、無線ゲートウェイのような電子機器であってもよい。ＷＬＡＮ  ＡＰ１３０は、同時に複数のＷＴ１２０に接続できる。
【００４４】
端末１４０は、第１のアップリンクデータと第２のアップリンクデータを送信する機能と、第１のダウンリンクデータと第２のダウンリンクデータを受信する機能を有する。また、端末１４０はさらに、ＬＷＡ機能を有し、即ち、受信したダウンリンクデータに第１のダウンリンクデータと第２のダウンリンクデータとが含まれる場合、端末１４０は第１のダウンリンクデータと第２のダウンリンクデータとを集約できる。端末１４０はさらに、アップリンクデータを第１のアップリンクデータと第２のアップリンクデータに区分し、ＬＴＥリンクを介してアクセスネットワーク装置１１０に第１のアップリンクデータを送信し、ＷＬＡＮリンクを介してアクセスネットワーク装置１１０に第２のアップリンクデータを送信する機能を有する。本発明の実施例は、端末１４０の具体的な数と具体的な位置に限定されるものではない。
【００４５】
図２は一つの例示的な実施例により提供されるデータ伝送方法のフローチャートである。本実施例は、該データ伝送方法を、図１に示すデータ伝送システムに応用したことを例として説明し、該方法は以下を含む。
【００４６】
ステップ２０１において、アクセスネットワーク装置は端末にＱＯＳクラスマッピングテーブルを送信する。
【００４７】
ＱＯＳクラスマッピングテーブルは、サービス品質クラス識別子（ＱｏＳ  Ｃｌａｓｓ  Ｉｄｅｎｔｉｆｉｅｒ、ＱＣＩ）とアクセスクラス（Ａｃｃｅｓｓ  Ｃａｔｅｇｏｒｙ、ＡＣ）との対応関係を含む。
【００４８】
ＱＣＩは、移動通信システムにおいてＱｏＳクラスを示すパラメータである。移動通信システムは、ＬＴＥシステムであることが好ましい。
【００４９】
ＡＣは、ＷＬＡＮシステムにおいてＱｏＳクラスを示すパラメータである。
【００５０】
ステップ２０２において、端末は、アクセスネットワーク装置が送信したＱＯＳクラスマッピングテーブルを受信する。
【００５１】
ステップ２０３において、アクセスネットワーク装置は、端末に対応する無線ベアラにＱＣＩを配置する。
【００５２】
無線ベアラは、端末とアクセスネットワーク装置との間に構築され、第１のアップリンクデータを伝送するのに用いられる。好ましくは、無線ベアラとは、データ無線ベアラ（Ｄａｔａ  Ｒａｄｉｏ  Ｂｅａｒｅｒ、ＤＲＢ）を指す。アクセスネットワーク装置は、各無線ベアラにそれぞれに対応するＱＣＩを配置する。
【００５３】
ステップ２０４において、端末は、アクセスネットワーク装置が無線ベアラのために配置したＱＣＩを受信する。
【００５４】
ステップ２０５において、端末は、ＱＯＳクラスマッピングテーブルに基づいてＱＣＩに対応するＡＣを照会する。
【００５５】
ステップ２０６において、端末はＡＣを使用して、ＷＬＡＮリンクを介して、アクセスネットワーク装置に第２のアップリンクデータを送信する。
【００５６】
ステップ２０７において、アクセスネットワーク装置は、端末がＷＬＡＮリンクを介して送信した第２のアップリンクデータを受信する。
【００５７】
該第２のアップリンクデータに対応するＡＣは、端末がＱＣＩに基づきＱｏＳクラスマッピングテーブルにおいて照会して取得したものである。
【００５８】
第１のアップリンクデータと第２のアップリンクデータは、集約伝送を採用したデータである。
【００５９】
以上から分かるように、本実施例により提供されるデータ伝送方法は、アクセスネットワーク装置により端末にＱＯＳクラスマッピングテーブル及びＱＣＩを配置し、端末はＱＯＳクラスマッピングテーブルにおいてＱＣＩに対応するＡＣを照会し、端末はＱＣＩに基づき移動通信リンク（例えば、ＬＴＥリンク）においてアクセスネットワーク装置に第１のアップリンクデータを送信し、ＡＣに基づきＷＬＡＮリンクにおいてアクセスネットワーク装置に第２のアップリンクデータを送信することによって、ＬＷＡシーンにおけるアップリンクデータの伝送において、ＱＯＳ要求を如何に保証するかという問題を解決し、端末が移動通信リンクとＷＬＡＮリンクにおいて、同じ又は類似するＱＯＳクラスを使用してアップリンクデータ伝送を行うため、複流においてもサービス品質を保証することができる効果を達成している。
【００６０】
図３は、本発明の他の一つの例示的な実施例により提供されるデータ伝送方法のフローチャートである。本実施例は、該データ伝送方法を、図１に示すデータ伝送システムに応用したことを例として説明し、該方法は以下を含む。
【００６１】
ステップ３０１において、アクセスネットワーク装置は、システム情報の指定システム情報ブロックにおいて、ＱｏＳクラスマッピングテーブルをブロードキャストする。
【００６２】
ＱＯＳクラスマッピングテーブルは、ＱＣＩとＡＣとの対応関係を含む。
【００６３】
ＱＣＩは、移動通信システムにおいてＱｏＳクラスを示すパラメータである。ＬＴＥシステムにおいて、アクセスネットワーク装置は、無線ベアラ（Ｒａｄｉｏ  Ｂｅａｒｅｒ）にＱＣＩを割り当て、該ＱＣＩに基づき該無線ベアラのために伝送リソースの割り当てとスケジューリングを行う。無線ベアラは、作業に対応するデータを伝送する論理チャネルである。ＬＴＥシステムにおいて、ＱＣＩの範囲は１〜９であり、それぞれ異なるリソースタイプ、異なる優先度、異なる遅延時間及び異なるパケットロス率に対応する。
【００６４】
例示的に、表１はＱＣＩの数値と、優先度と、遅延時間と、パケットロス率と、例示的な作業との対応関係を示す。
【表１】
2018521518.tif 000003
【００６５】
ＡＣはＷＬＡＮシステムにおいてＱｏＳクラスを示すパラメータである。ＷＬＡＮシステムにおいて、媒体アクセス制御（Ｍｅｄｉｕｍ  Ａｃｃｅｓｓ  Ｃｏｎｔｒｏｌ、ＭＡＣ）層において各データパケットにＡＣを割り当てた後に、端末、ＷＬＡＮ  ＡＰ及びＷＴは各データパケットのＡＣに基づいて伝送リソースの割り当てとスケジューリングを行う。例えば、ＷＬＡＮ  ＡＰは、ＡＣの優先度の高い順から低い順に従って、各データパケットをＡＣ−ＶＯ（Ｖｏｉｃｅ、音声ストリーム）、ＡＣ−ＶＩ（Ｖｉｄｅｏ、ビデオストリーム）、ＡＣ−ＢＥ（Ｂｅｓｔ−ｅｆｆｏｒｔ、ベストエフォートストリーム）、ＡＣ−ＢＫ（Ｂａｃｋ−ｇｒｏｕｎｄ、背景ストリーム）の４つの優先度キューに区分することにより、データパケットの優先度キューが高ければ高いほど、チャネルをプリエンプションする能力がより高いことを保証する。
【００６６】
例示的に、表２はＱｏＳクラスマッピングテーブルを示す。
【表２】
2018521518.tif 000004
【００６７】
ＱＣＩの値の範囲は１〜９であり、ＡＣの種類は４種類であるため、アクセスネットワーク装置は２つ以上のＱＣＩと同一のＡＣとの対応関係を構築することができる。
【００６８】
表２は例示的な説明に過ぎず、異なる実施例に応じて、表２はその他の構造であってもよく、本発明はそれに限定されるものではないことは、説明すべきである。
【００６９】
アクセスネットワーク装置は、ＱｏＳクラスマッピングテーブルを、システム情報を介してブロードキャストする。好ましくは、アクセスネットワーク装置は、被覆範囲内の全ての端末にＱｏＳクラスマッピングテーブルをブロードキャストする。好ましくは、アクセスネットワーク装置は、被覆範囲内の１つ又は複数の端末にＱｏＳクラスマッピングテーブルをブロードキャストする。
【００７０】
システム情報は、幾つかのシステム情報ブロック（Ｓｙｓｔｅｍ  Ｉｎｆｏｒｍａｉｏｎ  Ｂｌｏｃｋ、ＳＩＢ）を含む。現在のＬＴＥシステムのシステム情報は、１８個のＳＩＢを含む。好ましくは、アクセスネットワーク装置は、システム情報の指定ＳＩＢにおいてＱｏＳクラスマッピングテーブルをブロードキャストする。例示的に、指定ＳＩＢは、現在のＬＴＥシステムにおける既存のＳＩＢであって、例えば、ＳＩＢ１であり、指定ＳＩＢは、現在のＬＴＥシステムに新しく追加されるＳＩＢであって、例えば、ＳＩＢ１９である。
【００７１】
ステップ３０２において、端末は、アクセスネットワーク装置がブロードキャストしたシステム情報を受信し、システム情報の指定ＳＩＢにはＱＯＳクラスマッピングテーブルが含まれている。
【００７２】
ステップ３０３において、アクセスネットワーク装置は、端末に対応する無線ベアラにＱＣＩを配置する。
【００７３】
端末は、ＬＴＥネットワークにアクセスするときに、アクセスネットワーク装置と無線リソース制御（Ｒａｄｉｏ  Ｒｅｓｏｕｒｃｅ  Ｃｏｎｔｒｏｌ、ＲＲＣ）リンクを構築し、該ＲＲＣリンクにおいて少なくとも１つの無線ベアラを構築する。該無線ベアラは、エボリューションパケットシステム（Ｅｖｏｌｖｅｄ  Ｐａｃｋｅｔ  Ｓｙｓｔｅｍ、ＥＰＳ）ベアラとも呼ばれ、無線ベアラは、シグナリング無線ベアラ（Ｓｉｇｎａｌｌｉｎｇ  Ｒａｄｉｏ  Ｂｅａｒｅｒ、ＳＲＢ）と、データ無線ベアラ（Ｄａｔａ  Ｒａｄｉｏ  Ｂｅａｒｅｒ、ＤＲＢ）と、を含む。ＳＲＢは、シグナリングを伝送するのに用いられ、ＤＲＢは、データを伝送するのに用いられる。
【００７４】
アクセスネットワーク装置は、各無線ベアラにそれぞれに対応するＱＣＩを配置する。ＤＲＢを例とすると、作業のタイプに基づき、アクセスネットワーク装置は各ＤＲＢに異なるＤＣＩを割り当てる。
【００７５】
例えば、１つのＤＲＢが音声通話作業を伝送するベアラである場合、アクセスネットワーク装置は該ＤＲＢにＤＣＩ＝１を割り当てる。
【００７６】
ステップ３０４において、端末は、アクセスネットワーク装置が無線ベアラのために配置したＱＣＩを受信する。
【００７７】
ステップ３０５において、端末は、ＱＣＩに基づき移動通信リンクを介してアクセスネットワーク装置に第１のアップリンクデータを送信する。
【００７８】
好ましくは、移動通信リンクはＬＴＥリンクである。又は、移動通信リンクは５Ｇ（５ｔｈ  Ｇｅｎｅｒａｔｉｏｎ、第５世代）における伝送リンクである。異なる実施例において、リンクは、接続、ベアラ、チャネル、トンネルなどの別の如何なる可能な名称とも呼ばれるが、当業者であれば、これらの用語はいずれも、移動通信システムにおいてデータを伝送する１つのルートを代表し、リンクと呼ばれる用語の意味に限定されるものではないことを、知るべきである。
【００７９】
好ましくは、アクセスネットワーク装置は、無線ベアラのＱＣＩに基づき、該無線ベアラに伝送リソースを割り当て及びスケジューリングし、端末は該伝送リソースに基づいてアクセスネットワーク装置に第１のアップリンクデータを送信する。
【００８０】
ステップ３０６において、アクセスネットワーク装置は、端末が移動通信リンクを介して送信した第１のアップリンクデータを受信する。
【００８１】
ステップ３０７において、端末は、ＱｏＳクラスマッピングテーブルに基づいてＱＣＩに対応するＡＣを照会する。
【００８２】
例えば、無線ベアラのＱＣＩが１である場合、端末がＱｏＳクラスマッピングテーブルに基づき照会したＡＣがＡＣ−ＶＯである。
【００８３】
ステップ３０８において、端末は、ＡＣを使用して、ＷＬＡＮリンクを介して、アクセスネットワーク装置に第２のアップリンクデータを送信する。
【００８４】
好ましくは、端末は、ＷＬＡＮリンクを介してアクセスネットワーク装置に第２のアップリンクデータを送信し、第２のアップリンクデータのＭＡＣフレームヘッダにおけるＱＯＳ制御領域にはＡＣが含まれている。
【００８５】
例示的に、表３はＭＡＣフレームのフレーム構造を示す。該ＭＡＣフレームは、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，ＩＥＥＥ）８０２．１１ｅにより規定されたＭＡＣフレームのフォーマットである。
【表３】
2018521518.tif 000005
【００８６】
フレーム制御領域からＱｏＳ制御領域までは８０２．１１ｅ  ＭＡＣフレームのフレームヘッダ（ＭＡＣ  Ｈｅａｄｅｒ）であり、その他の部分は８０２．１１ｅ  ＭＡＣフレームのフレームボディ（ＭＡＣ  Ｂｏｄｙ）である。アドレス１は、データフレームの受信者を示すのに用いられ、アドレス２は、データフレームの送信者を示すのに用いられ、アドレス３は、データフレームの宛先を示すのに用いられ、アドレス４は、データフレームのソースアドレスを示すのに用いられる。ＱｏＳ制御領域は２バイトを占め、ＡＣを含むのに用いられる。
【００８７】
第２のアップリンクデータにおける各データパケットについて、ＷＬＡＮ  ＡＰとＷＴが該ＡＣに基づいてデータパケットに対応するＱｏＳを送信するように、ＭＡＣフレームのフレームヘッダ部分にはいずれにも該ＡＣが含まれている。
【００８８】
ステップ３０９において、アクセスネットワーク装置は、端末がＷＬＡＮリンクを介して送信した第２のアップリンクデータを受信する。
【００８９】
好ましくは、ＷＬＡＮネットワークは、無免許スペクトル（ｕｎａｕｔｈｏｒｉｚｅｄ  ｓｐｅｃｔｒｕｍ）を採用する。
【００９０】
好ましくは、第２のアップリンクデータは、先ず端末からＷＬＡＮ  ＡＰに送信され、次にＷＬＡＮ  ＡＰからＷＴに送信され、その後ＷＴからアクセスネットワーク装置に転送される。
【００９１】
好ましくは、アクセスネットワーク装置は、ＷＴにより転送される第２のアップリンクデータを受信する。
【００９２】
ステップ３１０において、アクセスネットワーク装置は、第１のアップリンクデータと第２のアップリンクデータとを集約する。
【００９３】
ステップ３１１において、アクセスネットワーク装置は、ネットワークパラメータを取得する。
【００９４】
ネットワークパラメータが経時変化するパラメータであるため、アクセスネットワーク装置は、リアルタイムにネットワークパラメータを取得し、該ネットワークパラメータは、アクセスネットワーク装置と端末との間のネットワークの良悪状態を示すのに用いられる。好ましくは、該ネットワークパラメータは、移動通信ネットワークのネットワークの良悪状態を示すのに用いられ、好ましくは、該ネットワークパラメータは、ＷＬＡＮリンクのネットワークの良悪状態を示すのに用いられる。
【００９５】
該ネットワークパラメータは、ネットワーク輻輳パラメータ、データパケット伝送速度、データパケット遅延パラメータ、データパケットロスパラメータのうちの少なくとも１つを含むが、これらに限定されるものではない。
【００９６】
本発明の実施例は、ネットワークパラメータの具体的な形態を限定しない。
【００９７】
ステップ３１２において、アクセスネットワーク装置は、ネットワークパラメータに基づいてＱＯＳクラスマッピングテーブルを更新する。
【００９８】
例示的に、ネットワークパラメータは、ＷＬＡＮネットワークの輻輳パラメータを含み、ＷＬＡＮネットワークの輻輳パラメータが第１の閾値より大きい場合、少なくとも１つのＱＣＩに対応するＡＣを１クラス引き下げて、端末の第２のアップリンクデータが適時にアクセスネットワーク装置に伝送されて集約されることを保証する。
【００９９】
例示的に、ネットワークパラメータは、ＷＬＡＮネットワークのデータパケット伝送速度を含み、ＷＬＡＮネットワークのデータパケット伝送速度が第２の閾値より大きい場合、少なくとも１つのＱＣＩに対応するＡＣを１クラス引き上げて、端末の第２のアップリンクデータが適時にアクセスネットワーク装置に伝送されて集約されることを保証する。
【０１００】
例示的に、ネットワークパラメータは、データパケット遅延パラメータとデータパケットロスパラメータとを含み、データパケット遅延パラメータ又はデータパケットロスパラメータが第３の閾値を超える場合、少なくとも１つのＱＣＩに対応するＡＣを１クラス引き上げる。
【０１０１】
本発明の実施例は、アクセスネットワーク装置のＱｏＳクラスマッピングテーブルを更新する方式を限定するものではない。
【０１０２】
ステップ３１３において、アクセスネットワーク装置は、端末に更新後のＱｏＳクラスマッピングテーブルを送信する。
【０１０３】
好ましくは、アクセスネットワーク装置は、システム情報の指定ＳＩＢにおいて更新後のＱＯＳクラスマッピングテーブルをブロードキャストし、指定ＳＩＢはシステム情報における元のＳＩＢ又は新しく追加されるＳＩＢである。
【０１０４】
ステップ３１４において、端末は、アクセスネットワーク装置により送信される更新後のＱｏＳクラスマッピングテーブルを受信する。
【０１０５】
好ましくは、端末は、アクセスネットワーク装置によりブロードキャストされるシステム情報を受信し、システム情報の指定ＳＩＢには、更新後のＱｏＳクラスマッピングテーブルが含まれている。
【０１０６】
以上から分かるように、本実施例により提供されるデータ伝送方法は、アクセスネットワーク装置により端末にＱＯＳクラスマッピングテーブル及びＱＣＩを配置し、端末によりＱＯＳクラスマッピングテーブルにおけるＱＣＩに対応するＡＣを照会し、ＱＣＩに基づき移動通信リンク（例えばＬＴＥリンク）においてアクセスネットワーク装置に第１のアップリンクデータを送信し、ＡＣに基づきＷＬＡＮリンクにおいてアクセスネットワーク装置に第２のアップリンクデータを送信することによって、ＬＷＡシーンにおけるアップリンクデータ伝送において、ＱＯＳ要求を如何に保証するかという問題を解決し、端末が移動通信リンクとＷＬＡＮリンクにおいて、同じ又は類似するＱＯＳクラスを使用してアップリンクデータ伝送を行うため、複流においてもサービス品質を保証することができる効果を達成している。
【０１０７】
本実施例により提供されるデータ伝送方法は、アクセスネットワーク装置がネットワークパラメータに基づいてＱＯＳクラスマッピングテーブルを更新し、端末に更新後のＱＯＳクラスマッピングテーブルを送信することによって、該ＱＯＳクラスマッピングテーブルを動的に更新し、リアルタイムのネットワーク状況にさらに適応させるため、アップリンクデータの集約伝送のサービス品質を保証することができる。
【０１０８】
以下は本発明に係る装置の実施例であり、本発明の方法の実施例を実行するのに用いることができる。本発明に係る装置の実施例に開示されていない詳細については、本発明の方法の実施例を参照できる。
【０１０９】
図４は、一つの例示的な実施例により提供されるデータ伝送装置の構成を示す模式図である。該データ伝送装置は、専用ハードウェア回路、又は、ハードウェアとソフトウェアとの組み合わせにより、図１における端末の全部又は一部として実現できる。該データ伝送装置は、
アクセスネットワーク装置が送信したサービス品質クラス識別子ＱＣＩとアクセスクラスＡＣとの対応関係を含むサービス品質ＱＯＳクラスマッピングテーブルを受信するように構成される受信モジュール４２０と、
アクセスネットワーク装置が端末とアクセスネットワーク装置との間に構築され且つ第１のアップリンクデータを伝送するのに用いられる無線ベアラのために配置したＱＣＩを受信するように構成される受信モジュール４２０と、
ＱＯＳクラスマッピングテーブルに基づいて、ＱＣＩに対応するＡＣを照会するように構成される処理モジュール４４０と、
ＡＣを使用して、無線ローカルエリアネットワークＷＬＡＮリンクを介して、アクセスネットワーク装置に第２のアップリンクデータを送信するように構成される送信モジュール４６０と、を含み、
第１のアップリンクデータと記第２のアップリンクデータは、集約伝送を採用したデータである。該集約伝送とは、ＬＷＡ集約伝送又はｅＬＷＡ集約伝送を指す。
【０１１０】
好ましい実施例において、受信モジュール４２０は、アクセスネットワーク装置がブロードキャストしたシステム情報を受信するように構成され、システム情報において、システム情報における元のＳＩＢ又は新しく追加されるＳＩＢである指定システム情報ブロックＳＩＢにはＱｏＳクラスマッピングテーブルが含まれている。
【０１１１】
好ましい実施例において、送信モジュール４６０は、ＷＬＡＮリンクを介してアクセスネットワーク装置に第２のアップリンクデータを送信するように構成され、第２のアップリンクデータにおいて、媒体アクセス制御ＭＡＣフレームヘッダにおけるＱＯＳ制御領域にはＡＣが含まれている。
【０１１２】
好ましい実施例において、該装置は、
アクセスネットワーク装置がネットワークパラメータに基づいて更新したＱＯＳクラスマッピングテーブルを受信するように構成される受信モジュール４２０、をさらに含み、
ネットワークパラメータは、ネットワーク輻輳パラメータ、データパケット伝送速度、データパケット遅延パラメータ、データパケットロスパラメータのうちの少なくとも１つを含む。
【０１１３】
図５は、一つの例示的な実施例により提供されるデータ伝送装置の構成を示す模式図である。該データ伝送装置は、専用ハードウェア回路、又は、ハードウェアとソフトウェアとの組み合わせにより、図１におけるアクセスネットワーク装置の全部又は一部として実現できる。該データ伝送装置は、
端末に、サービス品質クラス識別子ＱＣＩとアクセスクラスＡＣとの対応関係を含むサービス品質ＱＯＳクラスマッピングテーブルを送信するように構成される送信モジュール５２０と、
端末に対応する、端末とアクセスネットワーク装置との間に構築され且つ第１のアップリンクデータを伝送するのに用いられる無線ベアラに、ＱＣＩを配置するように構成される送信モジュール５２０と、
端末が無線ローカルエリアネットワークＷＬＡＮリンクを介して送信した、対応するＡＣがＱＯＳクラスマッピングテーブルにおけるＱＣＩに対応するＡＣである第２のアップリンクデータを受信するように構成される受信モジュール５４０と、を含み、
第１のアップリンクデータと第２のアップリンクデータは、集約伝送を採用したデータである。
【０１１４】
好ましい実施例において、送信モジュール５２０は、システム情報において、システム情報における元のＳＩＢ又は新しく追加されるＳＩＢである指定システム情報ブロックＳＩＢで、ＱＯＳクラスマッピングテーブルをブロードキャストするように構成される。
【０１１５】
好ましい実施例において、該装置は、
ネットワーク輻輳パラメータ、データパケット伝送速度、データパケット遅延パラメータ、データパケットロスパラメータのうちの少なくとも１つを含むネットワークパラメータを取得するように構成される処理モジュール５６０と、
ネットワークパラメータに基づいてＱＯＳクラスマッピングテーブルを更新するように構成される処理モジュール５６０と、
端末に更新後のＱＯＳクラスマッピングテーブルを送信するように構成される送信モジュール５２０と、をさらに含む。
【０１１６】
図６は、一つの例示的な実施例により提供される端末１４０の構成を示す模式図である。該端末１４０は、プロセッサ６１と、メモリ６２と、エミッター６３と、受信器６６と、を含む。
【０１１７】
プロセッサ６１は、メモリ６２に接続される。
【０１１８】
プロセッサ６１は、１つ以上の処理コアを含み、プロセッサ６１は、ソフトウェアプログラム及びユニットを実行することにより、各種機能の応用及び情報処理を実行する。
【０１１９】
メモリ６２は、１つ以上のプログラムコマンドを記憶するのに用いられ、該１つ以上のプログラムコマンドは、少なくとも１つのソフトウェアプログラム及びモジュールを実現するのに用いられる。メモリ６２は、オペレーティングシステム６４と、少なくとも１つの機能に必要なアプリケーションモジュール６５と、を記憶することができる。プロセッサ６１は、メモリ６２におけるプログラムコマンドを実行して、上記方法の実施例において端末１４０により実行されるステップを実現する。
【０１２０】
なお、メモリ６２は、如何なる種類の揮発性又は不揮発性メモリ又はそれらの組合せ、例えば、スタティックランダムアクセスメモリ（Ｓｔａｔｉｃ  Ｒａｎｄｏｍ  Ａｃｃｅｓｓ  Ｍｅｍｏｒｙ、ＳＲＡＭ）、電気的消去可能プログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、消去可能プログラマブル読み取り専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭ）、プログラマブル読み取り専用メモリ（Ｐｒｏｇｒａｍｍａｂｌｅ  Ｒｅａｄ  Ｏｎｌｙ  Ｍｅｍｏｒｙ、ＰＲＯＭ）、読み取り専用メモリ（Ｒｅａｄ  Ｏｎｌｙ  Ｍｅｍｏｒｙ、ＲＯＭ）、磁気メモリ、フラッシュメモリ、磁気ディスク又は光ディスクにより実現できる。
【０１２１】
エミッター６３は、モデムユニットと、マルチアンテナポートの送受信をサポートするアンテナであるマイモ（Ｍｕｌｔｉｐｌｅ  Ｉｎｐｕｔ  Ｍｕｌｔｉｐｌｅ  Ｏｕｔｐｕｔ，ＭＩＭＯ）アンテナと、を含む。好ましくは、ＭＩＭＯアンテナは、少なくとも２つの送信アンテナを含む。好ましくは、エミッター６３は、データ及びシグナリングの伝送を実現するのに用いられる。
【０１２２】
受信器６６は、エミッター６３と同じ又は類似する構造を含む。好ましくは、受信器６６は、モデムユニットと、少なくとも２つの受信アンテナを含むＭＩＭＯアンテナと、を含む。
【０１２３】
図６に示される端末１４０の構造は端末１４０を限定するものではなく、図示より多い又は少ない部品を備えるか又はある部品を組み合わせるか、或いは異なる部品を配置したものであることは、当業者であれば、理解すべきである。
【０１２４】
図７は、一つの例示的な実施例により提供されるアクセスネットワーク装置１１０の構成を示す模式図である。該アクセスネットワーク装置１１０は、プロセッサ７１と、メモリ７２と、エミッター７３と、受信器７６と、を含む。
【０１２５】
プロセッサ７１は、メモリ７２に接続される。
【０１２６】
プロセッサ７１は、１つ以上の処理コアを含み、プロセッサ７１はソフトウェアプログラム及びユニットを実行することにより、各種機能の応用及び情報処理を実行する。
【０１２７】
メモリ７２は、１つ以上のプログラムコマンドを記憶するのに用いられ、該１つ以上のプログラムコマンドは少なくとも１つのソフトウェアプログラム及びモジュールを実現するのに用いられる。メモリ７２は、オペレーティングシステム７４と、少なくとも１つの機能に必要なアプリケーションモジュール７５と、を記憶することができる。プロセッサ７１は、メモリ７２におけるプログラムコマンドを実行して、上記方法の実施例においてアクセスネットワーク装置１１０により実行されるステップを実現する。
【０１２８】
また、メモリ７２は、如何なる種類の揮発性又は不揮発性メモリ又はそれらの組合せ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現できる。
【０１２９】
エミッター７３は、モデムユニットと、マルチアンテナポートの送受信をサポートするアンテナであるマイモ（Ｍｕｌｔｉｐｌｅ  Ｉｎｐｕｔ  Ｍｕｌｔｉｐｌｅ  Ｏｕｔｐｕｔ，ＭＩＭＯ）アンテナと、を含む。好ましくは、ＭＩＭＯアンテナは、少なくとも２つの送信アンテナを含む。好ましくは、エミッター７３は、データ及びシグナリングの伝送を実現するのに用いられる。
【０１３０】
受信器７６は、エミッター７３と同じ又は類似する構造を含む。好ましくは、受信器７６は、モデムユニットと、少なくとも２つの受信アンテナを含むＭＩＭＯアンテナと、を含む。
【０１３１】
図７に示されるアクセスネットワーク装置１１０の構造はアクセスネットワーク装置１１０を限定するものではなく、図示より多い又は少ない部品を備えるか又はある部品を組み合わせるか、或いは異なる部品を配置したものであることは、当業者であれば、理解すべきである。
【０１３２】
図８は、一つの例示的な実施例により提供されるデータ伝送システムのブロック図である。該データ伝送システムは、アクセスネットワーク装置８２と、端末８４と、を含む。
【０１３３】
該アクセスネットワーク装置８２は、図５に示すようなデータ伝送装置を含み、端末８４は図４に示すようなデータ伝送装置を含む。
【０１３４】
又は、該アクセスネットワーク装置８２は図７に示すようなアクセスネットワーク装置であり、端末８４は図６に示すような端末である。
【０１３５】
上記実施例における装置について、各モジュールの操作を実行する具体的な形態は、すでに該方法に関する実施例において詳しく説明されたので、ここで詳細な説明を省略する。
【０１３６】
当業者であれば、明細書を考慮し、ここに開示される発明を実践した上で、本発明のその他の実施態様を容易に想到できる。本願は、本発明の如何なる変形、用途又は適応的変化を含むことを意図しており、これらの変形、用途又は適応的変化は本発明の一般的な原理に準じており、本発明に開示されていない当該技術分野における一般的な知識又は慣用の技術的手段を含む。明細書と実施例は、例示的なものに過ぎず、本発明の技術的範囲と思想は、特許請求の範囲によって決められる。
【０１３７】
本発明は、上記の説明及び図面に示される正確な構造に限定されるものではなく、その要旨を逸脱しない範囲内で様々な修正や変更を行うことができる。本発明の範囲は、特許請求の範囲のみによって制限される。
【図１】
2018521518.tif 000006
【図２】
2018521518.tif 000007
【図３】
2018521518.tif 000008
【図４】
2018521518.tif 000009
【図５】
2018521518.tif 000010
【図６】
2018521518.tif 000011
【図７】
2018521518.tif 000012
【図８】
2018521518.tif 000013
【国際調査報告】
2018521518.tif 000014
2018521518.tif 000015
2018521518.tif 000016
2018521518.tif 000017